(57)【要約】【課題】      手が不自由な人でも把持が容易に行え、しかも採尿が確実に行える採尿コップを提供する。【解決手段】  胴部１と底部２とを有する採尿コップにおいて、胴部は周方向における高さが一様ではなく、その上端開口縁が高い部分１ａと、これと対向した低い部分１ｂと、高い部分と低い部分との間の傾斜部分１ｃとからなり、胴部はその内周面は防水性であり、その外周面は内周面よりも摩擦係数が高く、滑り難い表面である。上端開口縁の高い部分は周方向に幅５〜１０ｃｍに亘って同一の高さであり、低い部分は周方向に幅１〜３ｃｍに亘って同一の高さであり、上端開口縁に沿った面における上端開口は卵形の形状である。【選択図】    図１
0003105844.tif 000002
【実用新案登録請求の範囲】
【請求項１】
胴部と底部とを有する採尿コップにおいて、前記胴部は周方向における高さが一様ではなく、その上端開口縁が高い部分と、これと対向した低い部分と、該高い部分と低い部分との間の傾斜部分とからなり、前記胴部はその内周面は防水性であり、その外周面は前記内周面よりも摩擦係数が高く、滑り難い表面であることを特徴とする採尿コップ。
【請求項２】
胴部と底部とを有する採尿コップにおいて、前記胴部は周方向における高さが一様ではなく、その上端開口縁が高い部分と、これと対向した低い部分と、該高い部分と低い部分との間の傾斜部分とからなり、前記上端開口縁の高い部分は周方向に幅５〜１０ｃｍに亘って同一の高さであり、前記上端開口縁の低い部分は周方向に幅１〜３ｃｍに亘って同一の高さであり、上端開口縁に沿った面における上端開口は卵形の形状であり、前記胴部はその内周面は防水性であり、その外周面は前記内周面よりも摩擦係数が高く、滑り難い表面であることを特徴とする請求項１記載の採尿コップ。
【請求項３】
前記胴部は紙を基体として、その内周面側は液密性の熱可塑性合成樹脂層が設けられ、外周面側には発泡樹脂層が形成されていることを特徴とする請求項１または請求項２記載の採尿コップ。
【請求項４】
前記胴部は紙を基体として、その内周面側は液密性の熱可塑性合成樹脂層が設けられ、外周面側にはパルプモールド原料が固着されていることを特徴とする請求項１または請求項２記載の採尿コップ。
【請求項５】
前記胴部は紙を基体として、その内周面側は液密性の熱可塑性合成樹脂層が設けられ、外周面側には凹凸が形成されていることを特徴とする請求項１または請求項２記載の採尿コップ。
【考案の詳細な説明】
【技術分野】
【０００１】
本考案は、医療における尿検査に際して使用する採尿コップに関するものであり、特に、女性が使用するに適した採尿コップに関するものである。
【背景技術】
【０００２】
従来、医療において患者の尿検査をする場合、患者の尿を紙製の採尿コップを使用して採取している。従来使用されている紙製の採尿コップは、紙に液体が浸透しないように内外表面に樹脂コーティングが施されており、内表面も外表面もつるつるしている。また、採尿コップの胴部の外表面には患者の名前などを記載したラベルが貼着されていたり、尿量を計るためのメモリが付けられていたりすることもある。
【０００３】
このような採尿コップは、尿を採取する場合、トイレなどで患者自身が採尿コップの胴部を手で持って、コップの上端開口縁を局部に当てて採尿するようにしている。
【考案の開示】
【考案が解決しようとする課題】
【０００４】
従来の採尿コップは内表面と同様に胴部の外側表面も比較的つるつるした感じのものであり、このため病気によって指先が不自由になっていたり、或いは高齢のため指先に力が入らなかったりする場合には滑り易く、持ち難く、採尿するときの姿勢との関係もあり、しっかりと採尿コップを把持できず、思った位置に保持することが困難であった。
【０００５】
また、その採尿コップの上端開口縁の形状は円形であり、その面積も狭いので、上手に尿を採取することができないことがあった。特に、女性の場合は、局部が目で見える状態ではないので、うまく局部に上端開口を当てることができず、尿が外に零れて、手を汚したり採尿コップを汚してしまうこともあった。
【０００６】
本考案はこのような問題を解決し、手が不自由な人でも把持が容易に行え、しかも採尿が確実に行えるような採尿コップを提供することを目的とする。
【課題を解決するための手段】
【０００７】
本考案によれば、胴部と底部とを有する採尿コップにおいて、前記胴部は周方向における高さが一様ではなく、その上端開口縁が高い部分と、これと対向した低い部分と、該高い部分と低い部分との間の傾斜部分とからなり、前記胴部はその内周面は防水性であり、その外周面は前記内周面よりも摩擦係数が高く、滑り難い表面であることを特徴とする採尿コップにより、上記目的を達成した。
【０００８】
採尿コップの胴部の外周面を内周面よりも摩擦係数が高く、滑り難い表面とするには、例えば、外周面に発泡樹脂層を設けたり、外周面にパルプモールド原料を固着したり、外周面に凹凸を形成したりすればよい。
【０００９】
採尿コップが紙を基体とする場合は、その内周面は液密性の熱可塑性合成樹脂層が設けられ、液体が浸透するのを防止する。
【００１０】
また、上記採尿コップの上端開口縁の高い部分を周方向に幅５〜１０ｃｍに亘って同一の高さとし、前記上端開口縁の低い部分を周方向に幅１〜３ｃｍに亘って同一の高さとして、上端開口縁に沿った面における上端開口の形状を卵形とすることが婦人用の採尿コップとして好ましいものである。
【考案の効果】
【００１１】
本考案によれば、採尿コップの外周表面を滑り難いものとしているので、採尿コップが持ち易く、手の指に力の入らないような人にとっても、しっかりと持つことができる。
【００１２】
このように本考案の採尿コップによれば、採尿コップをしっかりと持つことができるので、採尿時における採尿の失敗や尿の飛散や手を汚すことなどを防止することができる。
【００１３】
また、採尿コップの上端開口が斜めに形成されているので、開口面積が従来のように円形のものに比べて広くなっており、尿を採取し易い。特に、採尿コップの高い方の部分を或る幅で均一の高さとし、また低い部分も狭い幅で同じ高さとして、上端開口縁に沿った面における上端開口の形状を卵形としている。このように卵形とした場合は、単に採尿コップの上端部を斜めにカットしたような楕円形状のものに比較しても、採尿コップをあてがうべき局部付近の隙間に合った形状であり、また開口縁に尖った感じの箇所がないで、女性が使用し易いものである。
【考案を実施するための最良の形態】
【００１４】
図１は本考案の採尿コップの一実施例の斜視図であり、図２はその側面図であり、図３は本考案の採尿コップを真上からみた場合の平面図であり、図４は胴部を展開した状態を示すものである。図５は図３におけるＡ−Ａ線に沿った断面図である。図６は胴部を構成する素材の拡大断面図である。
【００１５】
本考案の採尿コップは、胴部１と底部２とからなるものである。図示した実施例においては胴部１は図６に示すように、紙層１１を主体とし、その片側の表面（採尿コップを形成した際に内側となる面）に合成樹脂層１２がコーティングまたはラミネートにより形成されているものである。すなわち、採尿コップの内面となる側にはポリエチレン、ポリプロピレンなどの比較的低融点の熱可塑性合成樹脂がコーティングまたはラミネートされている。
【００１６】
一方、底部２は同じく紙層１１を主体とし、その採尿コップの内側となる面には同様にポリエチレンなどの合成樹脂層１２がコーティングまたはラミネートにより形成されているものである。
【００１７】
このように、採尿コップの内面側に熱可塑性合成樹脂層１２を設けて、採取した尿が紙層１１に浸透しないように防水性をもたせている。
【００１８】
また、図示した実施例では、採尿コップの胴部１の外周面となる側の面には紙層１１の上に発泡樹脂層１３を設けている。例えば、紙層１１の上に、内周面側には高密度のポリエチレンフィルム層１２を設け、外周面側には低密度のポリエチレンフィルム層（軟化点が高密度のものより低い）を設け、製造中に加熱すると、紙層１１の中に本来的に含まれている水分が発泡剤の役割をして、外周面側の低密度のポリエチレンフィルム層が発泡状態となり、発泡樹脂層１３が形成される。なお、外周面側に設けられる合成樹脂層に発泡剤を添加しておき、加熱により発泡させて、発泡樹脂層１３を形成してもよい。
【００１９】
図１〜図３に示すように、本考案の採尿コップの上端開口部は高い方の部分１ａは約５〜１０ｃｍの幅で下端から同じ高さを保っており、それと対向する側の低い部分１ｂは１〜３ｃｍで下端から同じ高さとなっている。そして、これら高い部分１ａと低い部分１ｂとの間が傾斜した部分１ｃとなっている。上端開口部の縁の部分は、所謂カーリング装置により外側にカールさせて、図５に示すように、トップカール部１ｄが形成されている。
【００２０】
このように同じ高さの高い部分１ａがある程度の幅で同じ高さとなっており、反対側の低い部分１ｂが狭い幅で同じ高さとなっている。従って、上端開口縁に沿った面における上端開口の形状は略卵形である。
【００２１】
採尿する際は、胴部１の低い部分１ｂ側が手前（身体に近い）側になるようにして（すなわち、高い部分１ａ側が身体から離れた側になるようにして）、採尿コップの胴部１を手で把持し、そして局所に当てがって、採尿する。
【００２２】
胴部１の上端開口の形状を略卵形としたことにより、特に女性の場合は局所にぴったり沿った状態とすることができ、当てがい易く、尿の飛散を防止することができる。
【００２３】
また、採尿コップの胴部１の外周面を合成樹脂の発泡層としているため、摩擦力が大きく、採尿コップを手で持った場合に滑り難く、指先に力があまり入らない患者であっても、しっかりと持つことができるものである。
【００２４】
本考案の別の実施例としては、胴部１の外周面を発泡樹脂層とする代りに、胴部の外周面に凹凸を付けるようにしてもよい。外周面に凹凸をつけるにはエンボス加工をしたシートを紙層１１に貼着すればよい。
【００２５】
また、本考案の更に別の実施例としては、採尿コップを形成した後にパルプモールド原料を胴部１の外周面に吹き付けるようにしてもよい。パルプモールド原料は古紙を溶解して液状にしたものであり、これを胴部１に適宜の厚さに吹き付けて、乾燥して固着させればよい。このようにしても摩擦力があり滑り難いものが形成できる。或いは胴部１に編目状に紙紐などを貼り付けたりして滑り難くしてもよい。
【００２６】
本考案の更に別の実施例としては、図面に示した実施例では高さが高い部分１ａおよび低い部分１ｂを一定の幅で同じ高さとしているが、縁開口部全体を側面から見た状態で斜めに傾斜した状態としてもよい。この場合、開口部縁に沿った面においては、開口部の形状は楕円形状となっている。なお、この場合も上端開口部の縁が肌にやさしいように、外側にカールしたトップカール部としておくことが望ましい。
【図面の簡単な説明】
【００２７】
【図１】本考案の採尿コップの一実施例の斜視図である。
【図２】図１に示した採尿コップの側面図である。
【図３】図１に示した採尿コップを真上からみた場合の平面図である。
【図４】図１に示した採尿コップの胴部を展開した状態を示す展開図である。
【図５】図３におけるＡ−Ａ線に沿った断面図である。
【図６】採尿コップの胴部を構成する素材の拡大断面図である。
【符号の説明】
【００２８】
１    採尿コップの胴部
１ａ  胴部の上端開口縁の高い部分
１ｂ  胴部の上端開口縁の低い部分
１ｃ  胴部の上端開口縁の傾斜部分
１ｄ  胴部のトップカール部
２    底部
１１    紙層
１２    合成樹脂層
１３    発泡樹脂層
【図１】
0003105844.tif 000003
【図２】
0003105844.tif 000004
【図３】
0003105844.tif 000005
【図４】
0003105844.tif 000006
【図５】
0003105844.tif 000007
【図６】
0003105844.tif 000008